【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】  形状記憶高分子材料から形成された変形可能な本体を備える、骨構造のための整形外科用インプラントであって、前記本体は隣接する椎骨の間に植込まれる椎間スペーサを画成し、前記本体が、第１形状で提供され、選択刺激を加えると第２形状に変形可能であり、前記第２形状は、前記本体の少なくとも一部が骨構造の一部と対合して共形となるインプラント。
【請求項２】  第１形状にある本体が、第１外部体積を有し、第２形状が、第１外部体積よりも大きい第２外部体積を有する、請求項１に記載のインプラント。
【請求項３】  第１形状にある本体が、第１外部体積を有し、第２形状にある本体が、第１外部体積よりも小さい第２外部体積を有する、請求項１に記載のインプラント。
【請求項４】  本体が骨原性材料を収容するための内部空洞を含む、請求項１に記載のインプラント。
【請求項５】  本体が２つ以上の隣接する骨部分の間で柔軟な結合部材を画定する、請求項１に記載のインプラント。
【請求項６】  前記本体が元の形状で提供される、請求項１に記載のインプラント。
【請求項７】  前記第２形状が前記元の形状と実質的に等しい、請求項６に記載のインプラント。
【請求項８】  本体が、植え込まれたとき前記第２形状に変形する、請求項１に記載のインプラント。
【請求項９】  前記第２形状にある前記本体が、２つ以上の骨部分の固着を促進する、請求項１に記載のインプラント。
【請求項１０】  前記本体が、２つ以上の隣接する骨部分と接触し、前記第２形状が、２つ以上の隣接する骨部分の間で関節結合を可能にする、請求項１に記載のインプラント。
【請求項１１】  前記第１形状にある前記本体が、第２形状に変形する前に、１つまたは複数の骨部分に固定される、請求項１に記載のインプラント。
【請求項１２】  骨構造が空洞を含み、前記第２形状が骨構造中の空洞に対合して共形となる、請求項１に記載のインプラント。
【請求項１３】  形状記憶高分子材料が変形温度で弾性化し、前記選択刺激が、本体を変形温度以上の温度まで加熱することを含む、請求項１に記載のインプラント。
【請求項１４】  変形温度が約３８℃と約６５℃の間にある、請求項１３に記載のインプラント。
【請求項１５】  変形温度がほぼ周辺温度と６５℃の間にある、請求項１３に記載のインプラント。
【請求項１６】  形状記憶高分子材料が生分解性である、請求項１に記載のインプラント。
【請求項１７】  形状記憶高分子材料が非生分解性である、請求項１に記載のインプラント。
【請求項１８】  形状記憶高分子材料が、ポリラクチド、ポリグリコリド、ポリ（ラクチド−ｃｏ−グリコリド）、ポリウレタン、ポリ（エチレン−ｃｏ−酢酸ビニル）、ポリ（エチレン−ｃｏ−プロピレン）、ポリ（エチレン−ｃｏ−プロピレン−ｃｏ−ジエン）、ポリ（ε−カプロラクトン）、ポリ（β−ヒドロキシブチレート）、ポリ（β−ヒドロキシブチレート−ｃｏ−ヒドロキシバレレート）、ポリ（メタクリル酸エステル）、ポリ（メチルアクリル酸メチル）、ポリ（アクリレート）、およびそれらの混合物、共重合体および配合物からなる群から選択される、請求項１に記載のインプラント。
【請求項１９】  生分解性の形状記憶重合体を含む材料から形成された本体を備える、２つ以上の隣接する骨部分のための整形外科用インプラントであって、前記本体が、第１形状で提供され、前記隣接する骨部分の少なくとも１つを受けるようになされ、前記本体が、選択刺激が加わると第２形状に変形して前記隣接する骨部分に力を加えるインプラント。
【請求項２０】  前記力が隣接する骨部分に対する圧縮力である、請求項１９に記載のインプラント。
【請求項２１】  前記本体が、前記２つ以上の隣接する骨部分のための腱または靱帯と置き換わるように所望の引張り強さを発揮する、請求項１９に記載のインプラント。
【請求項２２】  インプラントが骨プレートを含む、請求項１９に記載のインプラント。
【請求項２３】  本体が骨スペーサを画定する、請求項１９に記載のインプラント。
【請求項２４】  本体が隣接する骨部分の間で柔軟な結合部材を画定する、請求項１９に記載のインプラント。
【請求項２５】  本体が骨原性材料を収容するための空洞を備える、請求項１９に記載のインプラント。
【請求項２６】  前記第２形状にある前記本体が、隣接する骨部分の固着を促進する、請求項１９に記載のインプラント。
【請求項２７】  前記本体が隣接する骨部分の間で関節結合を可能にする、請求項１９に記載のインプラント。
【請求項２８】  形状記憶重合体が変形温度で弾性化し、前記選択刺激が、本体を変形温度以上の温度まで加熱することを含む、請求項１９に記載のインプラント。
【請求項２９】  変形温度が約３８℃と約６５℃の間にある、請求項１９に記載のインプラント。
【請求項３０】  変形温度がほぼ周辺温度と６５℃の間にある、請求項１９に記載のインプラント。
【請求項３１】  形状記憶高分子材料が、ポリウレタン、ポリ（エチレン−ｃｏ−酢酸ビニル）、ポリ（エチレン−ｃｏ−プロピレン）、ポリ（エチレン−ｃｏ−プロピレン−ｃｏ−ジエン）、ポリ（メタクリル酸エステル）、ポリ（メチルアクリル酸メチル）、ポリ（アクリレート）、およびそれらの混合物、共重合体および配合物からなる群から選択される、請求項１９に記載のインプラント。
【請求項３２】  形状記憶高分子材料から形成された変形可能な本体を備え、骨組織を受けるようになされた少なくとも１つの表面を備え、前記本体が、第１形状で提供され、変形温度まで加熱すると、前記本体が第２形状に変形する整形外科用インプラント。
【請求項３３】  第１形状にある本体が第１外部体積を有し、第２形状は、第１外部体積よりも大きい第２外部体積を有する、請求項３２に記載のインプラント。
【請求項３４】  第１形状にある本体が第１外部体積を有し、第２形状にある本体が、第１外部体積よりも小さい第２外部体積を有する、請求項３２に記載のインプラント。
【請求項３５】  本体が骨プレートを画定する、請求項３２に記載のインプラント。
【請求項３６】  本体が骨スペーサを画定する、請求項３２に記載のインプラント。
【請求項３７】  本体が柔軟な結合部材を画定する、請求項３２に記載のインプラント。
【請求項３８】  前記本体が元の形状で提供されている、請求項３２に記載のインプラント。
【請求項３９】  本体が、植え込まれたとき、前記第２形状に自己変形する、請求項３２に記載のインプラント。
【請求項４０】  変形温度が約３８℃と約６５℃の間にある、請求項３２に記載のインプラント。
【請求項４１】  変形温度がほぼ周辺温度と６５℃の間にある、請求項３２に記載のインプラント。
【請求項４２】  前記第２形状にある前記本体が、隣接する骨部分の間で関節結合を可能にする、請求項３２に記載のインプラント。
【請求項４３】  前記第２形状が骨組織中の空洞に対合して共形となる、請求項３２に記載のインプラント。
【請求項４４】  変形温度で弾性化して変形するように提供された形状記憶重合体を含む材料から形成した本体を備える骨組織のための整形外科用インプラントであって、前記本体が、植込みを容易にするように選択した第１形状で提供され、変形温度以上の温度まで加熱すると、第２形状に変形可能であり、前記第２形状が整形外科的な治療を助長するように提供されているインプラント。
【請求項４５】  第１形状にある本体が第１外部体積を有し、第２形状は、第１外部体積よりも大きい第２外部体積を有する、請求項４４に記載のインプラント。
【請求項４６】  第１形状にある本体が第１外部体積を有し、第２形状にある本体が、第１外部体積よりも小さい第２外部体積を有する、請求項４４に記載のインプラント。
【請求項４７】  本体が骨スペーサを画定する、請求項４４に記載のインプラント。
【請求項４８】  本体が骨プレートを画定する、請求項４４に記載のインプラント。
【請求項４９】  本体が柔軟な結合部材を画定する、請求項４４に記載のインプラント。
【請求項５０】  本体が、骨組織、靱帯組織、腱組織および軟骨組織からなる群から選択した骨組織を第２組織に結合する、請求項４９に記載のインプラント。
【請求項５１】  本体が、靱帯組織、腱組織または軟骨組織の一部と置き換わるようになされている、請求項４９に記載のインプラント。
【請求項５２】  本体が組織促進成長因子を含む、請求項４９に記載のインプラント。
【請求項５３】  本体が、植え込まれたとき前記第２形状に自己変形する、請求項４４に記載のインプラント。
【請求項５４】  前記本体が元の形状で提供される、請求項４４に記載のインプラント。
【請求項５５】  変形温度が約３８℃と約６５℃の間にある、請求項４４に記載のインプラント。
【請求項５６】  変形温度がほぼ周辺温度と６５℃の間にある、請求項４４に記載のインプラント。
【請求項５７】  変形温度が通常体温よりも下である、請求項４４に記載のインプラント。
【請求項５８】  前記第２形状にある前記本体が、隣接する骨部分の間で関節結合を可能にする、請求項４４に記載のインプラント。
【請求項５９】  前記第２形状が骨組織中の空洞に対合して共形となる、請求項４４に記載のインプラント。
【請求項６０】  形状記憶重合体を含む材料から形成され、形状記憶重合体の作用によって第１形状と第２形状の間で移行可能である、脊椎中に挿入するためのスペーサ。
【請求項６１】  元の形状で提供される、請求項６０に記載のスペーサ。
【請求項６２】  第２形状が前記元の形状と実質的に等しい、請求項６１に記載のスペーサ。
【請求項６３】  前記第２形状が前記第１形状よりも大きい、請求項６０に記載のスペーサ。
【請求項６４】  椎間板空隙中に挿入される、請求項６０に記載のスペーサ。
【請求項６５】  椎体中に挿入される、請求項６０に記載のスペーサ。
【請求項６６】  椎骨と接触するようになされた本体を備え、前記本体が、形状記憶重合体を含む非生分解性材料から形成され、形状記憶重合体の作用によって第１形状と第２形状の間で移行可能である、整形外科用インプラント。
【請求項６７】  前記本体がスペーサを画定する、請求項６６に記載のインプラント。
【請求項６８】  前記本体が骨プレートを画定する、請求項６６に記載のインプラント。
【請求項６９】  前記本体が椎骨と第２組織の間で柔軟な結合部材を画定する、請求項６６に記載のインプラント。
【請求項７０】  第２組織が骨組織を含む、請求項６６に記載のインプラント。
【請求項７１】  第２組織が靱帯組織を含む、請求項６６に記載のインプラント。
【請求項７２】  第２組織が腱組織を含む、請求項６６に記載のインプラント。
【請求項７３】  骨異常部分を整形外科的に治療するための方法であって、
第１形状で提供され、形状記憶高分子材料から形成した変形可能な本体を備える整形外科用インプラントを選択するステップと、
前記インプラントを骨異常部分と接触させるステップと、
前記本体を第２形状に変形するために前記インプラントを刺激するステップとを含む方法。
【請求項７４】  前記形状記憶高分子材料が変形温度で弾性化して変形し、前記刺激するステップが、前記形状記憶高分子材料を変形温度以上の温度まで加熱するステップを含む、請求項７３に記載の方法。
【請求項７５】  インプラントが変形前に骨異常部分と接触する、請求項７３に記載の方法。
【請求項７６】  インプラントが骨異常部分と接触する前に変形する、請求項７３に記載の方法。
【請求項７７】  刺激するステップが本体を拡張させる、請求項７３に記載の方法。
【請求項７８】  刺激するステップが本体を接触させる、請求項７３に記載の方法。
【請求項７９】  自己共形する整形外科用インプラントを調製する方法であって、
元の形状で提供された変形可能な本体を備えるインプラントを、形状記憶高分子材料から製作するステップと、
前記本体を第１形状に変形するステップと、
前記本体を元の形状または第２形状に復帰させるために本体を刺激するステップとを含む方法。
【請求項８０】  第２形状が元の形状と実質的に等しい、請求項７９に記載の方法。